(57)【要約】【課題】携帯電話機等の携帯通信端末が手元にない場合でも、携帯通信端末の操作を簡易に行うことのできる携帯時計、携帯電話システム、携帯時計による発呼方法および発呼プログラムを得ること。【解決手段】携帯電話システム２０は、携帯通信端末２２とそのインタフェースとしての携帯時計２１からなる。携帯時計２１の毎時表示部２１ｂは、１０個のテンキーと発着信等の操作のための２つのキーに割り当てられる。通信手段２１ｆと携帯通信端末側通信手段２２ａが両者を結ぶ通信を行う。【選択図】図２
2011151437.tif 000002
【特許請求の範囲】
【請求項１】
現在時刻に応じて針を対応する角度だけ回転させて表示する針回転表示部と、
前記針の先が回転する円周を１２等分する形で１２箇所の位置にそれぞれ配置された毎時表示部と、
この毎時表示部の表示するそれぞれの位置に対する操作を個別に検知する個別検知手段と、
前記毎時表示部における前記１２箇所の位置の前記個別検知手段による検知をテンキーおよび２個のファンクションキーにそれぞれ対応付けてダイヤル操作と発呼ならびに着信操作の各入力操作を行う入力操作手段と、
着信があったときこれを通知する着信通知手段と、
前記入力操作手段の各入力操作による操作データおよび着信があったときのこれを知らせる着信通知データを少なくとも含む通信データを特定の携帯通信端末との間で通信する通信手段
とを具備することを特徴とする携帯時計。
【請求項２】
前記通信手段は近接通信を行うことを特徴とする請求項１記載の携帯時計。
【請求項３】
前記毎時表示部には、１時から９時をそれぞれ表示する「１」から「９」の文字と、１０時を表示する「０」の文字の他に、１１時と１２時をそれぞれ表示する位置にスター「＊」とスクエア「＃」の記号が表示されることを特徴とする請求項１記載の携帯時計。
【請求項４】
通話機能を具備することを特徴とする請求項１記載の携帯時計。
【請求項５】
前記個別検知手段は、前記毎時表示部の前記１２箇所の位置のいずれが操作されたかを座標データを基にして検知するタッチパネルで構成されていることを特徴とする請求項１記載の携帯時計。
【請求項６】
現在時刻に応じて針を対応する角度だけ回転させて表示する針回転表示部と、前記針の先が回転する円周を１２等分する形で１２箇所の位置にそれぞれ配置された毎時表示部と、この毎時表示部の表示するそれぞれの位置に対する操作を個別に検知する個別検知手段と、前記毎時表示部における前記１２箇所の位置の前記個別検知手段による検知をテンキーおよび２個のファンクションキーにそれぞれ対応付けてダイヤル操作と発呼ならびに着信操作の各入力操作を行う入力操作手段と、着信があったときこれを通知する着信通知手段と、前記入力操作手段の各入力操作による操作データおよび着信があったときのこれを知らせる着信通知データを少なくとも含む通信データを特定の携帯通信端末との間で通信する通信手段とを備えた携帯時計と、
前記携帯時計の前記通信手段と通信を行う携帯通信端末側通信手段を備えた携帯通信端末
とを具備することを特徴とする携帯電話システム。
【請求項７】
携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する電話番号入力ステップと、
この電話番号入力ステップで入力した電話番号の宛先に発呼するために前記文字または記号のうちの０から９の数字に対応する文字以外の記号のうちの特定の記号を発呼のために選択する発呼用記号選択ステップと、
この発呼用記号選択ステップで特定の記号を選択したとき、前記電話番号入力ステップで入力した電話番号を発呼のための電話番号として発呼機能を備えた携帯通信端末に無線通信する発呼用無線通信ステップ
とを具備することを特徴とする携帯時計による発呼方法。
【請求項８】
コンピュータに、
携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する電話番号入力処理と、
この電話番号入力処理で入力した電話番号の宛先に発呼するために前記文字または記号のうちの０から９の数字に対応する文字以外の記号のうちの特定の記号を発呼のために選択する発呼用記号選択処理と、
この発呼用記号選択処理で特定の記号を選択したとき、前記電話番号入力ステップで入力した電話番号を発呼のための電話番号として発呼機能を備えた携帯通信端末に無線通信する発呼用無線通信処理
とを実行させることを特徴とする携帯時計による発呼プログラム。
【発明の詳細な説明】
【技術分野】
【０００１】
本発明は、携帯電話機等の携帯通信端末と連携して使用することのできる携帯時計、携帯電話システム、携帯時計による発呼方法および発呼プログラムに関する。
【背景技術】
【０００２】
携帯電話機、ＰＨＳ（Personal Handyphone System）等の携帯無線端末が広く使用されている。このような携帯無線端末を小型化して、腕時計型の端末とすることも本発明の第１の関連技術として提案されている（たとえば特許文献１参照）。
【０００３】
この第１の関連技術では、通話相手から送られてくるメッセージを時計の文字盤上に表示するようにした。このため、メッセージを表示する画面のサイズにスペースを取られることになり、普通の腕時計よりも大型になってしまう。更にこの第１の関連技術では開示がないが、発呼の際のダイヤル入力を行うための入力スペースも必要となるので、腕時計の更なる大型化の懸念がある。
【０００４】
一方、本発明の第２の関連技術として、時計の文字盤の「１」〜「９」の各数字の表わされる位置を「１」〜「９」の数字を入力するためのキースイッチで構成することが提案されている（たとえば特許文献２参照）。この提案では、「０」の数字を「１」の数字の１つ前の時計の短針が正午を示す位置と、「９」の数字の１つ後の「１０」時に相当する位置に配置することにしている。更に１つ後の「１１」時に相当する位置には、小数点「．」を入力するキースイッチが配置されている。
この第２の関連技術では、時計の文字盤の中央に横長のディスプレイが配置されており、ここに現在時刻や算数の演算結果が数字で表示されるようになっている。そして、この横長のディスプレイと文字盤の周囲に配置された１２個の数字等のキースイッチの間に上下に分けて存在する半円形の空きスペースに、算数の演算を行うための「＋」、「−」、「×」、「÷」等の演算記号のキースイッチが配置されている。
【先行技術文献】
【特許文献】
【０００５】
【特許文献１】特開平１１−２３４７５０号公報（第０００９段落、第００１０段落、図１）
【特許文献２】特開昭５９−０１４０４５号公報（第２ページ右下欄第２行目〜第１０行目、図２）
【発明の概要】
【発明が解決しようとする課題】
【０００６】
この第２の関連技術は電卓を腕時計に組み込んだ技術を扱っている。このため、第２の関連技術の腕時計に更に携帯電話機としての機能を追加して発呼を可能にしようとすると、メッセージを表示するスペースが更に必要となる。
【０００７】
もちろん、腕時計には携帯電話機の通話機能のみを付加するようにすれば、第２の関連技術の文字盤の一部には発呼や着信の際の操作キーを追加するだけでよく、腕時計の大型化を避けることができる。しかしながら、この場合には、ユーザは通話専用の腕時計型携帯電話機と、電子メールの送受信やインターネットの閲覧といった一般的な機能を備えた通常の携帯電話機の２台の携帯電話機を持ち歩く必要がある。この際には、それぞれの携帯通信端末について別個に通信契約を行う必要があり、契約の管理が複雑になるだけでなく、通信経費が１台分よりも増加するという問題があった。
【０００８】
そこで本発明の目的は、通常の携帯電話機等の携帯通信端末が手元にない場合でも、携帯通信端末の操作を簡易に行うことのできる携帯時計、携帯電話システム、携帯時計による発呼方法および発呼プログラムを提供することにある。
【課題を解決するための手段】
【０００９】
本発明では、（イ）現在時刻に応じて針を対応する角度だけ回転させて表示する針回転表示部と、（ロ）前記した針の先が回転する円周を１２等分する形で１２箇所の位置にそれぞれ配置された毎時表示部と、（ハ）この毎時表示部の表示するそれぞれの位置に対する操作を個別に検知する個別検知手段と、（ニ）前記した毎時表示部における前記した１２箇所の位置の前記した個別検知手段による検知をテンキーおよび２個のファンクションキーにそれぞれ対応付けてダイヤル操作と発呼ならびに着信操作の各入力操作を行う入力操作手段と、（ホ）着信があったときこれを通知する着信通知手段と、（へ）前記した入力操作手段の各入力操作による操作データおよび着信があったときのこれを知らせる着信通知データを少なくとも含む通信データを特定の携帯通信端末との間で通信する通信手段とを携帯時計が具備する。
【００１０】
また本発明では、（イ）現在時刻に応じて針を対応する角度だけ回転させて表示する針回転表示部と、前記した針の先が回転する円周を１２等分する形で１２箇所の位置にそれぞれ配置された毎時表示部と、この毎時表示部の表示するそれぞれの位置に対する操作を個別に検知する個別検知手段と、前記した毎時表示部における前記した１２箇所の位置の前記した個別検知手段による検知をテンキーおよび２個のファンクションキーにそれぞれ対応付けてダイヤル操作と発呼ならびに着信操作の各入力操作を行う入力操作手段と、着信があったときこれを通知する着信通知手段と、前記した入力操作手段の各入力操作による操作データおよび着信があったときのこれを知らせる着信通知データを少なくとも含む通信データを特定の携帯通信端末との間で通信する通信手段とを備えた携帯時計と、（ロ）前記した携帯時計の前記した通信手段と通信を行う携帯通信端末側通信手段を備えた携帯通信端末とを携帯電話システムが具備する。
【００１１】
更に本発明では、（イ）携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する電話番号入力ステップと、（ロ）この電話番号入力ステップで入力した電話番号の宛先に発呼するために前記した文字または記号のうちの０から９の数字に対応する文字以外の記号のうちの特定の記号を発呼のために選択する発呼用記号選択ステップと、（ハ）この発呼用記号選択ステップで特定の記号を選択したとき、前記した電話番号入力ステップで入力した電話番号を発呼のための電話番号として発呼機能を備えた携帯通信端末に無線通信する発呼用無線通信ステップとを携帯時計による発呼方法が具備する。
【００１２】
更にまた本発明では、コンピュータに、発呼プログラムとして、（イ）携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する電話番号入力処理と、（ロ）この電話番号入力処理で入力した電話番号の宛先に発呼するために前記した文字または記号のうちの０から９の数字に対応する文字以外の記号のうちの特定の記号を発呼のために選択する発呼用記号選択処理と、（ハ）この発呼用記号選択処理で特定の記号を選択したとき、前記した電話番号入力処理で入力した電話番号を発呼のための電話番号として発呼機能を備えた携帯通信端末に無線通信する発呼用無線通信処理とを実行させることを特徴としている。
【発明の効果】
【００１３】
以上説明したように本発明によれば、携帯時計が携帯通信端末との入出力インタフェースとしての構成となっている。したがって、携帯時計のサイズを大型化することなく、時計としての機能と携帯通信端末の入出力デバイスとしての機能を持たせることができる。また、携帯時計について、携帯通信端末と別個に通信契約を行う必要がないという効果がある。
【００１４】
また、時計端末は、時計の回転する円周を１２等分する形で１２箇所の位置にそれぞれ配置された毎時表示部を利用して入力操作を行う。したがって、時計機能と通信のための入力操作を行う部位を融合させることで、時刻の表示が見にくくならないという効果がある。
【図面の簡単な説明】
【００１５】
【図１】本発明の携帯時計のクレーム対応図である。
【図２】本発明の携帯電話システムのクレーム対応図である。
【図３】本発明の発呼方法のクレーム対応図である。
【図４】本発明の発呼プログラムのクレーム対応図である。
【図５】本発明の実施の形態における携帯時計を表わした平面図である。
【図６】本実施の形態における携帯時計の回路構成の概要を表わしたブロック図である。
【図７】本実施の形態における携帯時計と連携して携帯電話システムを構成する携帯電話機の構成の概要を表わしたブロック図である。
【図８】本実施の形態で携帯時計が時刻表示を行う処理の様子を表わした流れ図である。
【図９】本実施の形態における携帯時計から行う発呼処理の様子を表わした流れ図である。
【図１０】本実施の形態における携帯電話機の発呼情報受信処理の様子を表わした流れ図である。
【図１１】本実施の形態における携帯電話機による着信通知処理の様子を表わした流れ図である。
【図１２】本実施の形態における携帯時計側での着信通知の受信処理の様子を表わした流れ図である。
【図１３】本実施の形態における携帯電話機が着信応答情報を受信した場合の処理の様子を表わした流れ図である。
【図１４】本実施の形態における呼の切断を携帯時計側から行うときの処理の様子を表わした流れ図である。
【図１５】本実施の形態における携帯電話機側の呼切断情報受信処理の様子を表わした流れ図である。
【発明を実施するための形態】
【００１６】
図１は、本発明の携帯時計のクレーム対応図を示したものである。本発明の携帯時計１０は、針回転表示部１１と、毎時表示部１２と、個別検知手段１３と、入力操作手段１４と、着信通知手段１５と、通信手段１６を備えている。ここで、針回転表示部１１は、現在時刻に応じて針を対応する角度だけ回転させて表示する。毎時表示部１２は、前記した針の先が回転する円周を１２等分する形で１２箇所の位置にそれぞれ配置されている。個別検知手段１３は、毎時表示部１２の表示するそれぞれの位置に対する操作を個別に検知する。入力操作手段１４は、毎時表示部１２における前記した１２箇所の位置の個別検知手段１３による検知をテンキーおよび２個のファンクションキーにそれぞれ対応付けてダイヤル操作と発呼ならびに着信操作の各入力操作を行う。着信通知手段１５は、着信があったときこれを通知する。通信手段１６は、入力操作手段１４の各入力操作による操作データおよび着信があったときのこれを知らせる着信通知データを少なくとも含む通信データを特定の携帯通信端末との間で通信する。
【００１７】
図２は、本発明の携帯電話システムのクレーム対応図を示したものである。本発明の携帯電話システム２０は、携帯時計２１と、携帯通信端末２２を備えている。ここで、携帯時計２１は、針回転表示部２１ａと、毎時表示部２１ｂと、個別検知手段２１ｃと、入力操作手段２１ｄと、着信通知手段２１ｅと、通信手段２１ｆを備えている。ここで、針回転表示部２１ａは、現在時刻に応じて針を対応する角度だけ回転させて表示する。毎時表示部２１ｂは、前記した針の先が回転する円周を１２等分する形で１２箇所の位置にそれぞれ配置されている。個別検知手段２１ｃは、毎時表示部２１ｂの表示するそれぞれの位置に対する操作を個別に検知する。入力操作手段２１ｄは、毎時表示部２１ｂにおける前記した１２箇所の位置の個別検知手段２１ｃによる検知をテンキーおよび２個のファンクションキーにそれぞれ対応付けてダイヤル操作と発呼ならびに着信操作の各入力操作を行う。着信通知手段２１ｅは、着信があったときこれを通知する。通信手段２１ｆは、入力操作手段２１ｄの各入力操作による操作データおよび着信があったときのこれを知らせる着信通知データを少なくとも含む通信データを特定の携帯通信端末との間で通信する。携帯通信端末２２は、携帯時計の通信手段２１ｆと通信を行う携帯通信端末側通信手段２２ａを備えている。
【００１８】
図３は、本発明の発呼方法のクレーム対応図を示したものである。本発明の発呼方法３０は、電話番号入力ステップ３１と、発呼用記号選択ステップ３２と、発呼用無線通信ステップ３３を備えている。ここで、電話番号入力ステップ３１では、携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する。発呼用記号選択ステップ３２では、電話番号入力ステップ３１で入力した電話番号の宛先に発呼するために前記した文字または記号のうちの０から９の数字に対応する文字以外の記号のうちの特定の記号を発呼のために選択する。発呼用無線通信ステップ３３では、発呼用記号選択ステップ３２で特定の記号を選択したとき、電話番号入力ステップ３１で入力した電話番号を発呼のための電話番号として発呼機能を備えた携帯通信端末に無線通信する。
【００１９】
図４は、本発明の発呼プログラムのクレーム対応図を示したものである。本発明の発呼プログラム４０は、コンピュータに、電話番号入力処理４１と、発呼用記号選択処理４２と、発呼用無線通信処理４３を実行させるようにしている。ここで、電話番号入力処理４１では、携帯時計の時刻を表示する針の先が回転する円周を１２等分する形で１２箇所の位置にそれぞれ配置された１時間置きの時を表わす文字または記号のうちの０から９の数字に対応する文字の表示された位置を押下することでこれらの文字を選択して、宛先の電話番号を入力する。発呼用記号選択処理４２では、電話番号入力処理４１で入力した電話番号の宛先に発呼するために前記した文字または記号のうちの０から９の数字に対応する文字以外の記号のうちの特定の記号を発呼のために選択する。発呼用無線通信処理４３では、発呼用記号選択処理４２で特定の記号を選択したとき、電話番号入力処理４１で入力した電話番号を発呼のための電話番号として発呼機能を備えた携帯通信端末に無線通信する。
【００２０】
＜発明の実施の形態＞
【００２１】
次に本発明の実施の形態を説明する。
【００２２】
図５は、本発明の実施の形態による携帯時計を表わしたものである。この携帯時計は、腕時計として実現されているが、懐中時計やネックレス時計あるいはペンダント時計のようなユーザが携行する比較的小型の携帯時計であってもよい。
【００２３】
本実施の形態の携帯時計１００は、腕時計なので、時計本体１０１と時計バンド１０２によって構成されている。時計本体１０１は、液晶ディスプレイや有機ＥＬ（Organic Electro-Luminescence）ディスプレイ等のディスプレイ１１１の上にタッチパネル１１２を取り付けたものである。時計本体１０１の３時の位置には第１の操作ボタン１１３が取り付けられており、９時の位置には第２の操作ボタン１１４が取り付けられている。ユーザは第１および第２の操作ボタン１１３、１１４を組み合わせて操作することにより、時刻の調整等の各種の操作を行うことができる。また、第２の操作ボタン１１４を単独で操作したときには、それから少なくとも一定時間の間はタッチパネル１１２が動作状態となり、後に説明するダイヤル操作が可能になる。
【００２４】
ディスプレイ１１１には、通常の状態で円形の文字盤１１５が表示されるようになっている。文字盤１１５には、現在時刻の変化に応じて移動する長針１１６と短針１１７が表示される。また、短針１１７が１時から９時を示すそれぞれの文字盤周辺には「１」から「９」までの数字が表示される。更に、短針１１７が１０時を示す文字盤周辺には「０」の数字が表示される。残りの短針１１７が１１時および１２時を示す文字盤周辺には「＊」（スター）と「＃」（スクエア）の各記号が表示される。また、「６」の数字の表示位置のすぐ上には、楕円形の表示ランプ１１９が設けられている。この表示ランプ１１９は着信があったときに特定の色で点滅が行われ、震動機能と共にユーザに電話が掛かってきたことを知らせる。
【００２５】
なお、図５ではディスプレイ１１１を円形としているが、長針１１６と短針１１７が表示される箇所のみをディスプレイの配置される領域として、数字や記号が配置される箇所をキースイッチとしてもよい。この場合、表示ランプ１１９には、ＬＥＤ（Light Emitting Diode）等の発光素子を使用してもよい。また、長針１１６と短針１１７は機械的に動作させるものであってもよい。
【００２６】
また、本明細書ではディスプレイ１１１に表示される「０」から「９」までの数字と「＊」および「＃」の各記号を時刻表示マークと総称することにする。また、時刻表示マークのうちの「０」から「９」までの数字のみを数字マークと総称する。
【００２７】
図６は、本実施の形態の携帯時計の回路構成の概要を表わしたものである。この図６で図５と同一部分には同一の符号を付しており、これらの説明を適宜省略する。
【００２８】
携帯時計１００は、ＣＰＵ（Central Processing Unit）１２１と、このＣＰＵ１２１の実行するプログラムを格納したメモリ１２２を備えた主制御部１２３を有している。主制御部１２３は、データバス等のバス１２４を通じて各部と接続し、これらの制御を行う。
【００２９】
このうち近接通信部１２５は、ブルートゥース（BlueTooth）、赤外線通信等の比較的近距離の通信によって、親機となる携帯電話機と通信を行う回路部分である。本実施の形態では、１０メートル程度の範囲まで通信が可能なブルートゥースを使用するが、これに限るものではない。時計回路１２６は、ＣＰＵ１２１の使用するクロックを分周して、携帯時計１００の長針１１６と短針１１７が表示する時刻を計時する回路である。ただし、後に説明する近接通信部１２５による通信相手としての携帯電話機から時計情報を取得してこれに同期させるようにしてもよい。
【００３０】
震動装置１２７は、携帯電話機が鞄の中に入っているような場合でユーザが着信を検知することが困難な場合に備えて、ユーザが携行する携帯時計１００を着信時に震動させる装置である。識別情報格納部１２８は、この携帯時計１００と連携して動作する携帯電話機との間でデータを交換する際に相手側を特定するための識別情報を格納するメモリ領域である。識別情報格納部１２８は、不揮発性メモリで構成されることが好ましい。
【００３１】
入力回路１２９は、第１および第２の操作ボタン１１３、１１４と接続されており、これらの操作データを主制御部１２３の制御のために入力する回路である。ディスプレイ制御回路１３１は、ディスプレイ１１１の表示制御を行う。タッチパネル１１２は、前記した所定の条件の下で機能し、押下位置に対応するデータを座標検出回路１３２に送出する。座標検出回路１３２は送られてきたデータを基にして押下位置の座標を検出する。
【００３２】
図７は、本実施の形態で携帯時計と連携して携帯電話システムを構成する携帯電話機の構成の概要を表わしたものである。携帯電話機２００は、ＣＰＵ２１１と、このＣＰＵ２１１の実行するプログラムを格納したメモリ２１２を備えた主制御部２１３を有している。主制御部２１３は、データバス等のバス２１４を通じて各部と接続し、これらの制御を行う。
【００３３】
このうち近接通信部２１５は、ブルートゥース、赤外線通信等の比較的近距離の通信によって、子機となる携帯時計１００（図６）と通信を行う回路部分である。本実施の形態では、１０メートル程度の範囲まで通信が可能なブルートゥースを使用するが、これに限るものではない。
【００３４】
対基地局通信部２１６は、通常の携帯電話機２００として図示しない基地局と無線で通信する。識別情報格納部２１７は、この携帯電話機２００と連携して動作する携帯時計１００（図６）との間でデータを交換する際に相手側を特定するための識別番号を格納するメモリ領域である。識別番号格納部２１７は、不揮発性メモリで構成されることが好ましい。
【００３５】
発呼・着信検出部２１８は、本実施の形態で携帯時計１００と連携する処理動作に必要な発呼と着信を検出する。発呼は携帯電話機２００が独自に行うこともできるし、携帯時計１００（図６）が独立して発呼を行うこともできる。携帯時計１００が発呼の操作を行った場合には、近接通信部２１５を用いてその内容を受信して対基地局通信部２１６を用いて発呼のための処理を開始する。着信の検出は携帯電話機２００の本体側で行い、識別番号格納部２１７に格納している識別番号の携帯時計１００に近接通信部２１５を用いて通知する。
【００３６】
携帯電話機共通機能部２１９は、以上説明した以外の携帯電話機の一般的な機能をまとめて表わしたものである。電子メールに関する機能や、テレビジョンを受信する機能やカメラで撮影する機能といった各種機能のうち、携帯時計１００と連携する携帯電話機の備える機能が含まれる。なお、本実施の形態では通話相手と通話する機能は携帯電話機２００側に備えられており、携帯時計１００には備えられていない。もちろん、携帯時計１００側に図示しないマイクロフォンとスピーカあるいはこれらの接続端子を用意し、携帯時計１００側で通話相手と通話を行えるようになっていてもよい。
【００３７】
図８は、携帯時計が時刻表示を行う処理の様子を表わしたものである。図５および図６と共に説明する。
【００３８】
主制御部１２３は時計回路１２６から１２時間で長針１１６と短針１１７を表示するための現在時刻に対応する時計データを時計回路１２６から取得する（ステップＳ３０１）。そして、その時計データから長針１１６と短針１１７の回転角度を演算し（ステップＳ３０２）、ディスプレイ制御回路１３１に与える。ディスプレイ制御回路１３１は与えられた回転角度で長針１１６と短針１１７を描画してこれらの描画部分を更新する（ステップＳ３０３）。
【００３９】
主制御部１２３は、時計データについて予め定めた表示更新時刻（時間間隔）が到来すると（ステップＳ３０４：Ｙ）、処理をステップＳ３０１に戻す（リターン）。このようにして、長針１１６と短針１１７は、時刻表示マークのそれぞれを毎時の表示位置とした場合の通常のアナログ時計の表示を行うことになる。
【００４０】
図９は、携帯時計から行う発呼処理の様子を表わしたものである。図５および図６と共に説明する。
【００４１】
主制御部１２３は入力回路１２９を介して第２の操作ボタン１１４が単独押下されるのを監視している（ステップＳ３２１）。第２の操作ボタン１１４が単独押下されると（Ｙ）、主制御部１２３は数字マークのいずれかが押下されるか（ステップＳ３２２）、「＊」記号が押されるか（ステップＳ３２３）あるいはそれまでに予め定めた時間ｔ1が経過するか（ステップＳ３２４）を監視する。第２の操作ボタン１１４が最初に押されることを発呼処理の条件としたのは、ユーザが不用意に時刻表示マークに触れたときに発呼が行われるのを防止するためである。また、時間ｔ1の経過の監視は、第２の操作ボタン１１４が何らかの原因で押されてしまったときに、無意味な電話番号に発呼が行われるのを防止するためである
【００４２】
ユーザがダイヤル情報を入力するために数字マークのいずれかを押下すると（ステップＳ３２２：Ｙ）、時間ｔ1を監視する経過時間ｔがリセットされて初期値となる（ステップＳ３２５）。時間ｔ1はたとえば５秒に設定されている。第２の操作ボタン１１４が最初に押されてから数字マークが押されるまで、あるいは数字マークが押されてから次の数字マークまたは「＊」記号が押されるまでに時間ｔ1を経過したとする。この場合には（ステップＳ３２２：Ｎ、ステップＳ３２３：Ｎ、ステップＳ３２４：Ｙ）、今まで数字マークを用いて入力したダイヤル情報がリセットされる（ステップＳ３２６）。そして、所定の時間ｔ2だけ表示ランプ１１９が黄色に点灯してエラーが発生したことを表示して（ステップＳ３２７）、発呼処理を未処理の状態で終了する（エンド）。
【００４３】
これに対して、ユーザが数字マークを何回か押下した後に「＊」記号を押すと（ステップＳ３２２：Ｎ、ステップＳ３２３：Ｙ）、主制御部１２３は今までに押された数字マークの列が有意であるかを判別する（ステップＳ３２８）。ここで数字マークの列が有意であるとは、ダイヤル情報の桁数に合致していることをいう。たとえば、市内局番としてのダイヤル情報の桁数や市外局番を含めたダイヤル情報の桁数をチェックして優位なダイヤル情報であるかを判別する。無意味なダイヤル情報の場合には（Ｎ）、ステップＳ３２６に進んでこれら入力されたダイヤル情報をリセットして、エラー表示を行う（ステップＳ３２７）。この場合には発呼処理が終了するので（エンド）、ユーザは必要により発呼処理をステップＳ３２１から再び開始する。
【００４４】
一方、今までに入力した数字マークによるダイヤル情報を主制御部１２３が有意であると判別した場合には（ステップＳ３２８：Ｙ）、ディスプレイ１１１の空きスペースに発呼するダイヤル情報を表示する（ステップＳ３２９）。ここで空きスペースとは、長針１１６と短針１１７が表示される箇所と重ならない領域をいう。この状態で主制御部１２３は時刻表示マークの押下を監視する（ステップＳ３３０、ステップＳ３３１）。そして、「＊」記号が押下された場合には（ステップＳ３３０：Ｙ）、ユーザが入力したダイヤル情報が正確であると判別して、このダイヤル情報で示す宛先に発呼させる発呼情報を近接通信部１２５を通じて携帯電話機２００に送信する（ステップＳ３３２）。このとき、識別情報格納部１２８に格納された識別情報を併せて送信する。この後、処理を終了することになる（エンド）。
【００４５】
ステップＳ３２９でディスプレイ１１１の空きスペースにダイヤル情報を表示している状態で「＊」記号以外の時刻表示マークが押下された場合には（ステップＳ３３０：Ｎ、ステップＳ３３１：Ｙ）、ダイヤル情報にエラーがある等によって発呼が拒否されたことを示す。そこで、この場合にはステップＳ３２７に進んで所定の時間ｔ2だけ表示ランプ１１９をエラー表示して、処理を終了する（エンド）。
【００４６】
図１０は、携帯電話機の発呼情報受信処理の様子を表わしたものである。図５および図７と共に説明する。
【００４７】
携帯電話機２００の主制御部２１３は近接通信部２１５が発呼情報の受信を待機している（ステップＳ３５１）。発呼情報を受信したら（Ｙ）、主制御部２１３は識別情報格納部２１７から識別情報を読み出して（ステップＳ３５２）、送られてきた識別情報と一致するかを判別する（ステップＳ３５３）。一致しない場合には（Ｎ）、たまたま近くにいる他の携帯時計から発呼情報を受けたことになる。そこでこの場合には、発呼処理を行うことなく、処理を終了する（エンド）。
【００４８】
これに対して、発呼情報に含まれる識別情報と識別情報格納部２１７から読み出した識別情報が一致した場合には（ステップＳ３５３：Ｙ）、発呼・着信検出部２１８が発呼を行うことを検出して、携帯電話機共通機能部２１９で通常の発呼が行われる場合と同様に発呼処理を開始して（ステップＳ３５４）、処理を終了する（エンド）。この処理には、対基地局通信部２１６が使用されることになる。
【００４９】
なお、本実施の形態ではこれ以降の処理を携帯電話機２００側で行うことにしている。すなわち、相手が応答してきた場合の通話はユーザが携帯電話機２００を用いて行う。前記したように携帯時計１００に通話機能を具備させた場合には、通話相手が応答してきたことを表示ランプ１１９で表示して、ユーザは携帯時計１００を用いて通話を行うことができる。この場合には通話のための音声情報が近接通信部１２５（図６）と近接通信部２１５（図７）の間で通信されることになる。
【００５０】
図１１は、携帯電話機による着信通知処理の様子を表わしたものである。図５および図７と共に説明する。
【００５１】
携帯電話機２００では発呼・着信検出部２１８が着信の検出を待機している（ステップＳ３７１）。着信が検出されると（Ｙ）、主制御部２１３はメモリ２１２の不揮発性メモリ領域に格納された着信時の設定内容をチェックして、携帯電話機２００内での着信通知を開始する（ステップＳ３７２）。次に主制御部２１３は、この着信時の設定内容で携帯時計１００に通知を必要としているかをチェックする（ステップＳ３７３）。携帯時計１００への通知を必要としていない場合には（Ｎ）、これを行うことなく着信通知処理を終了する（エンド）。
【００５２】
一方、携帯時計１００への通知を必要としている場合には（ステップＳ３７３：Ｙ）、携帯時計１００に着信通知を送出する（ステップＳ３７４）。このとき、識別情報格納部１２８に格納された識別情報を併せて送信する。この後、処理を終了することになる（エンド）。この着信通知は近接通信部２１５を用いて行うことになる。
【００５３】
図１２は、携帯時計側での着信通知の受信処理の様子を表わしたものである。図５および図６と共に説明する。
【００５４】
携帯時計１００では近接通信部１２５を介して着信通知が受信されるのを待機している（ステップＳ３９１）。着信通知が受信されると、主制御部１２３は識別情報格納部２１７から識別情報を読み出して（ステップＳ３９２）、送られてきた識別情報と一致するかを判別する（ステップＳ３９３）。一致しない場合には（Ｎ）、たまたま近くにいる他の携帯時計から着信通知を受けたことになる。そこでこの場合には、着信処理を行うことなく、処理を終了する（エンド）。
【００５５】
これに対して、着信通知に含まれる識別情報と識別情報格納部１２８から読み出した識別情報が一致した場合には（ステップＳ３９３：Ｙ）、表示ランプ１１９をたとえば緑色に点滅させると共に、ディスプレイ１１１の空きスペースに着信通知で送られてきた発信者情報を表示する（ステップＳ３９４）。ただし、着信通知に発信者情報が含まれていない場合には発信者の電話番号を表示するか、あるいは何も表示しない。表示ランプ１１９の点灯と共に震動装置１２７を震動させることも有効である。
【００５６】
ユーザは、着信があったことを知ると、音声による応答までの時間を考慮しながら「＊」記号を押す（ステップＳ３９５）。すなわち、携帯電話機２００を用いて音声で応答する場合には携帯電話機２００で通話を開始する目処がたった時点で「＊」記号を押す。ユーザによっては携帯電話機２００側の着信応答キーを押して通話を開始させてもよい。
【００５７】
ユーザが「＊」記号を押した場合には（ステップＳ３９５：Ｙ）、着信応答情報が識別情報を組み込んだ形で近接通信部１２５から携帯電話機２００に送信されて（ステップＳ３９６）、一連の処理が終了する（エンド）。
【００５８】
図１３は、携帯電話機が着信応答情報を受信した場合の処理の様子を表わしたものである。図５および図７と共に説明する。
【００５９】
主制御部２１３は近接通信部２１５が着信応答情報を受信するのを待機している（ステップＳ４０１）。着信応答情報を受信すると（Ｙ）、主制御部２１３は識別情報格納部２１７から識別情報を読み出して（ステップＳ４０２）、送られてきた識別情報と一致するかを判別する（ステップＳ４０３）。一致しない場合には（Ｎ）、たまたま近くにいる他の携帯時計から着信応答情報を受信したことになる。そこでこの場合には、呼を接続することなく、処理を終了する（エンド）。
【００６０】
これに対して、着信応答情報に含まれる識別情報と識別情報格納部２１７から読み出した識別情報が一致した場合には（ステップＳ４０３：Ｙ）、呼を接続して（ステップＳ４０４）、携帯時計１００からの着信応答情報の受信処理を終了する（エンド）。
【００６１】
図１４は、呼の切断を携帯時計側から行うときの処理の様子を表わしたものである。図５および図６と共に説明する。
【００６２】
主制御部１２３は入力回路１２９を介して第１および第２の操作ボタン１１３、１１４が同時に押下されるのを監視している（ステップＳ４２１）。第１および第２の操作ボタン１１３、１１４が同時に押下されると（Ｙ）、時間ｔ1が経過する前に（ステップＳ４２２：Ｎ）、「＃」記号が押されるかを監視する（ステップＳ４２３）。「＃」記号が押される前に時間ｔ1が経過した場合には（ステップＳ４２３：Ｎ、ステップＳ４２２：Ｙ）、呼の切断のための処理は実行することなく終了する（エンド）。
【００６３】
一方、時間ｔ1が経過する前に「＃」記号が押された場合には（ステップＳ４２３：Ｙ）、呼を切断するための呼切断情報を近接通信部１２５から携帯電話機２００に送信して（ステップＳ４２４）、処理を終了する（エンド）。この呼切断情報には、識別情報格納部１２８に格納された識別情報が組み込まれている。
【００６４】
図１５は、携帯電話機側の呼切断情報受信処理の様子を表わしたものである。図５および図７と共に説明する。
【００６５】
携帯電話機２００では近接通信部２１５が呼切断情報の受信を待機している（ステップＳ４４１）。呼切断情報を受信したら（Ｙ）、主制御部２１３は識別情報格納部２１７から識別情報を読み出して（ステップＳ４４２）、送られてきた識別情報と一致するかを判別する（ステップＳ４４３）。一致しない場合には（Ｎ）、たまたま近くにいる他の携帯時計から呼切断情報を受けたことになる。そこでこの場合には、呼の切断を行うことなく、処理を終了する（エンド）。
【００６６】
これに対して、呼切断情報に含まれる識別情報と識別情報格納部２１７から読み出した識別情報が一致した場合には（ステップＳ４４３：Ｙ）、呼の切断のための処理が開始される（ステップＳ４４４）。この処理には、対基地局通信部２１６が使用されることになる。その後、処理が終了することになる（エンド）。
【００６７】
なお、以上説明した実施の形態では、発呼のときにユーザが「＊」記号を押し、また、呼の切断のときには「＃」記号を押すことにしたが、これに限るものではない。それぞれ逆の記号を選択してもよいし時刻表示マークの他のマークと組み合わせて押下するようにしてもよい。また、複数のマークの組み合わせにより誤操作の危険性を十分低減できる場合には、特定の操作に先立って第１あるいは第２の操作ボタン１１３、１１４を押す操作を省略するようにしてもよい。
【００６８】
以上説明した実施の形態によれば、ユーザが携帯時計１００を身に付けていれば、携帯電話機２００を鞄や買い物袋にいれているような状況でも、着信に確実に対処することができる。また、たとえば携帯電話機２００にイヤホンとマイクロフォンの組み合わされたものを接続して使用している状況では、手元の携帯時計１００を操作するだけで発呼や着呼あるいは呼の切断処理が可能になる。
【００６９】
しかも携帯時計１００自体は携帯電話機としての通信機能を備えていない。したがって、電力消費を低減することができるだけでなく、携帯電話機２００のみについて通話契約を行えばよく、新たな通話契約を行う必要がなく、通信経費が増加するおそれがない。
【００７０】
なお、実施の形態では腕時計としての携帯時計１００を示したが、既に説明したように懐中時計やネックレス時計あるいはペンダント時計のようなユーザが携行する比較的小型の携帯時計であってもよいことは当然である。また、実施の形態では長針１１６と短針１１７で時分を表示したが、この他に年月日を表示したり、秒を表示するようにしてもよい。
【符号の説明】
【００７１】
１０、２１、１００  携帯時計
１１、２１ａ  針回転表示部
１２、２１ｂ  毎時表示部
１３、２１ｃ  個別検知手段
１４、２１ｄ  入力操作手段
１５、２１ｅ  着信通知手段
１６、２１ｆ  通信手段
２０  携帯電話システム
２２  携帯電話機
２２ａ  携帯通信端末側通信手段
３０  発呼方法
３１  電話番号入力ステップ
３２  発呼用記号選択ステップ
３３  発呼用無線通信ステップ
４０  発呼プログラム
４１  電話番号入力処理
４２  発呼用記号選択処理
４３  発呼用無線通信処理
１０１  時計本体
１１１  ディスプレイ
１１２  タッチパネル
１１３  第１の操作ボタン
１１４  第２の操作ボタン
１１５  文字盤
１１６  長針
１１７  短針
１１９  表示ランプ
１２１、２１１  ＣＰＵ
１２２、２１２  メモリ
１２３、２１３  主制御部
１２５、２１５  近接通信部
１２６  時計回路
１２７  震動装置
１２８、２１７  識別情報格納部
１３１  ディスプレイ制御回路
１３２  座標検出回路
２１８  発呼・着信検出部
【図１】
2011151437.tif 000003
【図２】
2011151437.tif 000004
【図３】
2011151437.tif 000005
【図４】
2011151437.tif 000006
【図５】
2011151437.tif 000007
【図６】
2011151437.tif 000008
【図７】
2011151437.tif 000009
【図８】
2011151437.tif 000010
【図９】
2011151437.tif 000011
【図１０】
2011151437.tif 000012
【図１１】
2011151437.tif 000013
【図１２】
2011151437.tif 000014
【図１３】
2011151437.tif 000015
【図１４】
2011151437.tif 000016
【図１５】
2011151437.tif 000017